(57)【要約】本発明は、放射性物体（５）中のベリリウムの量を測定するための装置であって、該装置が：  放射性物体により放出された中性子を熱運動化できる材料から作製されたピース（１）と、放射性物体上の線量率を緩和できる金属ピース（２）とからなる中空円筒であって、該中性子を熱運動化できる材料からなるピースが、壁の一部が欠けた中空円筒の形状を有しており、該金属ピース（２）が、中性子を熱運動化できる材料から作製されたピースの欠けた壁部分に相当する空間に挿入されたソリッド部分（２ａ）と、該ソリッド部分の延長であり、かつ該中性子を熱運動化できる材料から作製されたピースの壁内に、該中性子を熱運動化できる材料から作製されたピースに接触して収容された凹部（２ｂ）とを含む、該中空円筒と、  該金属ピースの凹部の窪みに収容されたガンマ線源（４）と、及び  該中性子を熱運動化できる材料から作製されたピースの本体中に配置された少なくとも１つの中性子検出器（３）と、を含む。
2017505437.tif 000002
【特許請求の範囲】
【請求項１】
放射性物体（５）中のベリリウムの量を測定するための装置であって、該装置が、
放射性物体により放出された中性子を熱運動化できる材料から作製されたピース（１）と、放射性物体上の線量率を緩和できる金属ピース（２）とからなる中空円筒であって、前記中性子を熱運動化できる材料からなるピースが、壁の一部が欠けた中空円筒の形状を有しており、前記金属ピース（２）が、中性子を熱運動化できる材料から作製されたピースの欠けた壁部分に相当する空間に挿入されたソリッド部分（２ａ）と、前記ソリッド部分から離れるように延在しかつ前記中性子を熱運動化できる材料から作製されたピースの壁内に、前記中性子を熱運動化できる材料から作製されたピースに接触して収容された凹部（２ｂ）とを含む、該中空円筒と、
前記金属ピースの凹部の窪みに収容されたガンマ線源（４）と、及び
前記中性子を熱運動化できる材料から作製されたピースの本体中に配置された少なくとも１つの中性子検出器（３）と、
を含むことを特徴とする測定装置。
【請求項２】
前記中性子検出器（３）が、ヘリウム３ガスメータである、請求項１に記載の装置。
【請求項３】
前記ガンマ線源（４）が点線源である、請求項１又は２に記載の装置。
【請求項４】
前記中空円筒の軸に対し略平行な軸に沿って前記線源（４）を移動できる手段をさらに含む請求項３に記載の装置。
【請求項５】
前記ガンマ線源（４）が、前記金属ピース（２）の凹部の窪み内に取付けられ、かつ前記中空円筒の軸に対し略平行な軸を有する線状線源である、請求項１又は２に記載の装置。
【請求項６】
前記放射性物体を回転できる手段を含む、請求項１から５のいずれか１項に記載の装置。
【請求項７】
前記ガンマ照射線源（４）が１２４Ｓｂ線源である、請求項１から６のいずれか１項に記載の装置。
【請求項８】
前記中空円筒が中空回転円筒である、請求項１から７のいずれか１項に記載の装置。
【請求項９】
複数の中性子検出器（３）が、前記中性子を熱運動化できる材料から作製されたピース（１）において、前記中空回転円筒の円形断面によって規定される円の中心から等しい距離において均等に分布される、請求項８に記載の装置。
【請求項１０】
前記中性子を熱運動化できる材料がポリエチレンである、請求項１から９のいずれか１項に記載の装置。
【請求項１１】
前記金属ピース（２）が鉛ピースである、請求項１から１０のいずれか１項に記載の装置。
【請求項１２】
前記円筒の軸に垂直な横断平面において、前記中性子を熱運動化できる材料で作製されたピースにおいて前記金属ピース（２）を中性子検出器（３）から隔てる距離（ｅ１）が５ｃｍ以下であり、かつ前記中性子を熱運動化できる材料で作製されたピースにおいて中性子検出器（３）を前記中性子を熱運動化できる材料で作製されたピースの境界を定める外表面から隔てる距離（ｅ２）が２ｃｍ以上である、請求項１から１１のいずれか１項に記載の装置。
【請求項１３】
前記金属ピース（２）を中性子検出器（３）から隔てる距離（ｅ１）が、３ｃｍ以下であり、かつ中性子検出器（３）を、前記中性子を熱運動化できる材料で作製されたピースの境界を定める外表面から隔てる距離（ｅ２）が、略２ｃｍから４ｃｍの間である、請求項１２に記載の装置。
【発明の詳細な説明】
【技術分野】
【０００１】
本発明は、放射性物体中に、より特定的には容器中に粉末として含有されるプルトニウム系廃棄物中に存在する、ベリリウムの量を測定するための方法に関する。
【背景技術】
【０００２】
ベリリウムは、それを含有する恐れがある物体において、及びより特定的には放射性物体において、そのトレーサビリティが不可欠である金属である。
【０００３】
今日までに、物体中に存在するベリリウムの量を測定するための様々な技術が知られている。
【０００４】
これらの技術の中には、放射化学分析法を実施するものがある。こうした技術の中に、誘導結合プラズマ質量分析がある。この分析法は、もっぱらガス試料に対し実施される。液体については、液体試料を気化することが必要である。固体については、まず固体試料を、例えば硝酸を用いて溶解して液体試料を生成し、次に液体試料を気化させる。固体の場合、時にはレーザ光線を適用することで、固体を表面において気化させることも可能である。いずれの場合も、ひとたびガスが得られれば、放電により試料はプラズマに変換される。プラズマからイオンが抽出され、その質量が質量分析法により測定される。
【０００５】
他の公知の技術は、例えば、蛍光測定法（ベリリウムは、蛍光特性をもつリガンドと錯体を形成する）、レーザ誘起原子放出分光測定（励起作用下での可視又は紫外放射光放出）、赤外分光法（ベリリウムは、その赤外線放射が赤外分光光度計により測定される化学形態として抽出される）などといった放射化学分析法を実施する。
【０００６】
これらの技術はすべて侵入性であり、調査対象物上でのサンプリングを必要とする。この試料上での作業が、試料の代表性の問題を提起する。実際、調査されるべき物体が均一でない場合（廃棄物容器、複雑な形状を有しかつ届くのが困難な表面をもつ物体の表面汚染）、試料上での測定結果は物体中に含有されるベリリウムの実際の量を代表するものではない。このことが、１つの欠点である。
【０００７】
その上、放射化学分析法を実施する技術は、しばしば、測定が行われる時間に対して非常に遅れて測定結果を送達する。測定結果の取得におけるこの遅れもまた、１つの欠点である。
【０００８】
他の既知の技術は、以下の核反応に基づく：
９Ｂｅ＋γ→８Ｂｅ＋ｎ
【０００９】
ガンマ光子γは、ベリリウム（９Ｂｅ）に当てられる。ベリリウム核と相互作用する充分なエネルギーをもつガンマ光子は、光中性子ｎを発生させる。発生した光中性子は、次に計数され、ベリリウムの量が計数情報から推定される。文献（非特許文献１）は、かかる技術を開示する。ベリリウム含有材料の試料は、１２４Ｓｂ線源からの光子により照射される。この照射から結果として生じる光中性子が計数され、この中性子計数が結果として、試料中に存在するベリリウム量の決定をもたらす。
【００１０】
この技術の１つの欠点は、それが侵入性であり、小サイズの試料について作業しなければならないという事実である。ベリリウムが寸法の大きな物体、例えば１リットルを超える体積を有する物体中に、均一に分布していない場合、調査物体中に存在するベリリウムの量についての情報は、代表的なものとはならない。さらに、物体が放射性である場合、物体の放射性に起因する強力な中性子ノイズが、プルトニウム（Ｐｕ）の中性子放出に起因するようなノイズなどの測定を妨害する。
【００１１】
本発明の装置には、上述の欠点がない。
【先行技術文献】
【非特許文献】
【００１２】
【非特許文献１】Ａ．Ｍｏｕｓｓａｖｉ−Ｚａｒａｎｄｉ、“Ｄｅｔｅｒｍｉｎａｔｉｏｎ  ｏｆ  ｂｅｒｙｌｌｉｕｍ  ｂｙ  ｕｓｅ  ｏｆ  ｐｈｏｔｏｎｕｃｌｅａｒ  ａｃｔｉｖａｔｉｏｎ  ｔｅｃｈｎｉｑｕｅｓ（光核活性化技術の使用によるベリリウム測定）”、「Ａｐｐｉｅｄ  Ｒａｄｉａｔｉｏｎ  ａｎｄ  Ｉｓｏｔｏｐｅｓ  ６６」、２００８年、第６６巻、ｐ．１５８−１６１．
【発明の概要】
【課題を解決するための手段】
【００１３】
本発明は、放射性物体中のベリリウムの量を測定するための装置であって、該装置が：
−  放射性物体により放出された中性子を熱運動化(thermalize)できる材料から作製されたピースと、放射性物体上の線量率を緩和できる金属ピースとからなる中空円筒であって、中性子を熱運動化できる材料からなるピースが、壁の一部が欠けた中空円筒の形状を有しており、金属ピースが、中性子を熱運動化できる材料から作製されたピースの欠けた壁部分に相当する空間に挿入されたソリッド部分と、ソリッド部分から離れるように延在しかつ中性子を熱運動化できる材料から作製されたピースの壁内に、中性子を熱運動化できる材料から作製されたピースに接触して収容された凹部とを含む、該中空円筒と、
−  金属ピースの凹部の窪みに収容されたガンマ線源と、及び
−  中性子を熱運動化できる材料から作製されたピースの本体中に配置された少なくとも１つの中性子検出器と、
を含む、該装置に関する。
【００１４】
本発明のさらなる特徴によれば、中性子検出器はヘリウム３ガスメータである。
【００１５】
本発明の別のさらなる特徴によれば、ガンマ線源は点線源である。
【００１６】
本発明のなお別の特徴によれば、放射線源が点線源である場合、装置はさらに、中空円筒の軸に対し略平行な軸に沿って線源を移動できる手段を含む。
【００１７】
本発明のなお別のさらなる特徴によれば、ガンマ線源は、金属ピースの凹部の窪み内に取付けられ、かつ中空円筒の軸に対し略平行な軸を有する線状線源である。
【００１８】
本発明のなお別のさらなる特徴によれば、装置は、放射性物体を回転できる手段を含む。
【００１９】
本発明のなお別のさらなる特徴によれば、ガンマ照射線源は１２４Ｓｂ線源である。
【００２０】
本発明のなお別のさらなる特徴によれば、中空円筒は中空回転円筒である。
【００２１】
本発明のなお別のさらなる特徴によれば、中空円筒が回転対称の中空円筒であり、複数の中性子検出器は、中性子を熱運動化できる材料から作製されたピースにおいて、中空回転円筒の円形断面によって規定される円の中心から等しい距離において均等に分布される。
【００２２】
本発明のなお別のさらなる特徴によれば、中性子を熱運動化できる材料は、ポリエチレンである。
【００２３】
本発明のなお別のさらなる特徴によれば、金属ピースは鉛ピースである。
【００２４】
本発明のなお別のさらなる特徴によれば、円筒の軸に垂直な横断平面においては、中性子を熱運動化できる材料で作製されたピースにおいて金属ピースを中性子検出器から隔てる距離は５ｃｍ以下であり、かつ中性子を熱運動化できる材料で作製されたピースにおいて中性子検出器を中性子を熱運動化できる材料で作製されたピースの境界を定める外表面から隔てる距離は２ｃｍ以上である。
【００２５】
本発明のなお別のさらなる特徴によれば、金属ピースを中性子検出器から隔てる距離は３ｃｍ以下であり、かつ中性子検出器を、中性子を熱運動化できる材料で作製されたピースの境界を定める外表面から隔てる距離は、略２ｃｍから４ｃｍの間である。
【００２６】
本発明による装置は、放射性物体に起因する中性子ノイズによってもたらされる障害を最小化するべく設計されている。
【００２７】
有利には、本発明の装置はまた、その中にベリリウムが均一に分布していない、嵩のある物体中に存在するベリリウムの量を測定及び定量化することが可能である。
【図面の簡単な説明】
【００２８】
本発明のさらなる特徴及び利点は、添付の図面を参照して、以下の記載を読むことで明らかとなるであろう。
【図１Ａ】本発明による放射性物体中のベリリウムの量を測定するための装置の斜視図である。
【図１Ｂ】本発明による放射性物体中のベリリウムの量を測定するための装置の上面図である。
【図２】本発明による装置の主要な構成要素のモデリングに用いた、単純化された構造の横断面を表す図である。
【図３Ａ】本発明による放射性物体中のベリリウムの量を測定するための装置の改良物の、上面図である。
【図３Ｂ】本発明による放射性物体中のベリリウムの量を測定するための装置の改良物の、長軸方向の断面図である。
【発明を実施するための形態】
【００２９】
図１Ａ及び１Ｂは、本発明の好ましい実施形態による、放射性物体中のベリリウムの量を測定するための装置の、斜視図及び上面図を表す。
【００３０】
本発明の装置は：
放射性物体中により放出される中性子を熱運動化できる材料からなるピース１と、放射性物体上の線量率を緩和でき、かつ中性子を熱運動化できる材料からなるピース中に収容された金属ピース２とによって形成される中空円筒形ブロックであって、放射性物体５自体が中空の円筒形ブロックの空洞内に配置される、該中空円筒形ブロックと、
金属ピース２の空洞部の窪み内に配置され、かつ調査されるべき物体に向けてガンマ線を放出するガンマ線源４と、及び
中性子を熱運動化できる材料から作製されたピース１の本体中に配置された少なくとも１つの中性子検出器３と、
を含む。
【００３１】
本発明の好ましい実施形態によれば、中性子を熱運動化できる材料はポリエチレンであり、金属ピースは鉛ピースであり、そして中性子検出器はヘリウム３（３Ｈｅ）ガスメータである。しかしながら、本発明の別の実施形態によれば：
−  中性子を熱運動化できる材料は、パラフィン又は水又はグラファイトなどでもよく、
−  金属は、鉛以外の金属でもよく、そして
−  中性子検出器は、ヘリウム３（３Ｈｅ）ガスカウンタ以外のメータ、例えば、ホウ素被着ガスメータでもよい。
【００３２】
ポリエチレンピース１は、壁の一部分が欠けた中空の円筒形を有する。鉛ピース２は、ポリエチレンピース１の欠けた壁部分に相当する空間に挿入されたソリッド部分２ａと、ソリッド部分から離れるように延在し、かつポリエチレンピース１の壁内に、ポリエチレンピースと接触して収容されている凹部分２ｂとを含む。ガンマ線源４は、鉛ピース２の凹部品の窪みに収納される。少なくとも１つの中性子検出器（図１Ｂでは１１個の検出器が描かれている）が、ポリエチレンピース１の本体中に配置される。
【００３３】
鉛ピース２の機能は、中性子検出器における線量率を制限することである。鉛ピースは、そのために選択された厚さを有する。ヘリウム３ガスメータでは、例えば、線量率限界は約０．１ｍＧｙ／ｈガンマである。鉛ピース２はまた、作業者がガンマ線源の照射に対し防護されることも可能にする。この防護のためには、装置の接近を防止するための、遮蔽及び／又は立入禁止区域を検討することも可能である。鉛ピース２の利点はまた、必要に応じて、ベリリウム以外の他の元素、例えばポリエチレン中に存在する重水素などにおける、バックグラウンドの光中性子発生を制限することである。
【００３４】
ガンマ線源４は、点又は線状線源である。線源が点線源である場合、本発明の装置は、好ましくは、円筒の軸に沿った動きを確保できる手段を含む。線源が線状である場合、線状線源は例えば鉛ピースのノッチに配置されたステンレス鋼チューブを用いて、鉛ピースに取付けられる。好ましくは、線状線源は調査物体の高さよりも長い（例えば２倍の長さ）。本発明の特定の実施形態によれば、本発明の装置はまた、調査物体を中空円筒の軸のまわりに回転させることができる手段も含む。
【００３５】
可動性のガンマ照射点線源又はガンマ照射線状線源と、前述の特定の実施形態では、調査物体を回転させることができる手段とが存在するため、本発明の装置は物体の照射が均一化されることを可能にし、したがって物体中のベリリウムの分布に関して存在する不確実性を最小化する。
【００３６】
図面に描かれているように、複数の検出器３が使用される場合、それらは好ましくは、物体５のまわりのポリエチレンピース１において、同じ円周上に均等に分布される。
【００３７】
ガンマ線源は、好ましくは１２４Ｓｂ線源である。より好ましくは、１２４Ｓｂ線源は１６９１ｋｅＶの主放射線を有し、これは、以下の核反応：
９Ｂｅ＋γ→８Ｂｅ＋ｎ、
を促進する。
【００３８】
この反応の開始閾値は１６６６ｋｅＶに位置しており、調査物体中に存在しそうな、このエネルギーレベルよりずっと高い閾値をもつ別の元素を励起することはない。それ故、この核反応により放出される光中性子は、２５ｋｅＶ程度（１６９１ｋｅｖ−１６６６ｋｅｖ）のエネルギーを有する。
【００３９】
中性子検出器３は、この核反応の結果として生じる中性子ｎを計数する。中性子の計数は、周知の方法で、数値シミュレーションにより測定又は計算された補正乗算係数により、物体中に存在するベリリウムの量を測定できるようにする。
【００４０】
本発明の装置は、好ましくは、光中性子の検出が、測定された物体により自発的に放出された中性子の検出よりも優先されることを可能にする。このことは、信号対ノイズ比、及びそれ故、バックグラウンドノイズのない信号の統計的精度が極めて改善されることを可能にする。
【００４１】
中性子バックグラウンドノイズに関係する中性子は、２ＭｅＶ程度において放出された中性子の平均的エネルギーでの自発核分裂からか、或いは２３８Ｐｕ、２４１Ａｍなどといった強力なアルファ線放射体の存在下での反応９Ｂｅ（α、ｎ）のための、１ＭｅＶよりも高い、例えば４．２ＭｅＶで放出された中性子の平均エネルギーでの反応（α、ｎ）から、のいずれかの結果として生じる。
【００４２】
最良の信号対ノイズ比性能は、ポリエチレンピースの厚さにおける中性子検出器の位置の適切な選択によって得られる。
【００４３】
図２は、本発明の装置の主要構成要素のモデリングに用いた単純化された構造の断面図を表す。
【００４４】
モデリング用に選択された構造は、連続した球状層、即ち：厚さｅ０の鉛層Ｃ１、厚さｅ１の第１のポリエチレン層Ｃ２、厚さｅＨのヘリウム３ガス層Ｃ４、及び厚さｅ２の第２のポリエチレン層Ｃ４、によって取囲まれた、半径ｒの金属粉末性の球体Ｓである。好ましくは、図２に表された構造は、本発明の装置において、ヘリウム３ガスメータの前後に配置されたポリエチレン層の厚さを最適化可能である。球体Ｓの半径ｒは、４．３ｃｍであり、ヘリウム３ガス層の厚さｅＨは、２．５４ｃｍである。既に述べたように、鉛層Ｃ１は、検出器における線量率を制限するべく選択された厚さｅ０、例えば１ｃｍを有する。中性子は、金属粉末の球体中に均一に放出されると考えられる。モデリングには２つのエネルギースペクトル：即ち、ベリリウムの反応（γ、ｎ）からの光中性子を代表する２５ｋｅＶの中性子、及び有意な受動的バックグラウンドノイズを構成する、２４０Ｐｕの自発核分裂の中性子に相当するスペクトルが使用される。
【００４５】
本明細書の以下の表１は、ベリリウムの反応（γ、ｎ）により放出された中性子の検出効率についての値を、厚さｅ１及びｅ２の関数として示す。当業者には既知のように、所与のエネルギースペクトルをもつ中性子検出効率は、定義上、エネルギースペクトルをもつ放出された中性子の数に対する、検出されたカウント数の割合である。
【００４６】
【表１】
2017505437.tif 000003
【００４７】
表１の最初の横列は厚さｅ１を変化させたものであり、最初の縦列は厚さｅ２の値を変化させたものである。各交点（ｅ１、ｅ２）において、相当する検出効率値が対応づけられる。表１から、ｅ１及びｅ２の値にかかわらず、検出効率は１５％より高くなっており、このことは非常に満足がいく。また、ｅ２値のセットについては、ｅ１が増加するとき、検出効率は最大値を通過することも注目される。これは、２つの拮抗効果：ヘリウム３によるその検出を促進する、ポリエチレン中での中性子の減速（又は熱運動化）と、及び同じポリエチレン中での熱運動化された中性子の吸収とに起因する。さらに、固定されたｅ１値については、ｅ２が増加すると、検出効率は増大して漸近値に達することが注目される。これは、ヘリウム３の後ろに位置するポリエチレンが、厚さｅ２の最低値については反射体の役割を果たしており、この反射体の役割が、ある厚さを超えるともはや果たされず、中性子が吸収され、もはやヘリウム３メータに戻ることができないという事実に起因する。
【００４８】
さらに、以下の表２は、２４０Ｐｕの自発核分裂の中性子の検出効率を、厚さｅ１及びｅ２の関数として表す。厚さｅ１はまた、表の最初の横列にあり、厚さｅ２は最初の縦列にあり、各交点（ｅ１、ｅ２）は、対応する検出効率値を示す。
【００４９】
【表２】
2017505437.tif 000004
【００５０】
厚さｅ２のセットについて、検出効率は厚さｅ１とともに増加するが、しかしながら、調べた厚さの変動範囲（０ｃｍから５ｃｍの間）では、光中性子では観測される最大効率（表１参照）を観測することができない。これは、２４０Ｐｕの自発核分裂の中性子の高いエネルギーに起因する：検出効率の最適値は、５ｃｍより厚い厚さについて得られる。厚さｅ１が固定されれば、厚さｅ２が増加する場合に既に観測されたように（表１参照）検出効率の増加とその後の飽和が観測される。
【００５１】
本発明の装置の良好な検出感度の観点から、有利には、光中性子のみの検出収量を部分的に犠牲にして、自発核分裂の中性子検出収量に対する光中性子検出収量の比を優先できる。
【００５２】
以下の表３は、表１及び表２に示した検出効率の比を例示する。
【００５３】
厚さｅ１は、表の最初の横列にあり、厚さｅ２は最初の縦列にある。
【００５４】
各交点（ｅ１、ｅ２）に、検出効率比の値が対応づけられる。
【００５５】
【表３】
2017505437.tif 000005
【００５６】
表３から、検出効率の比Ｒは、最も薄い厚さｅ１及びｅ２について最高値をとるように見える。さらに、光中性子の検出効率もまた、これらの場合（薄い厚さｅ１及びｅ２）に最低値をとる（表１参照）。最適の厚さｅ１及びｅ２の選択は、それ故、比Ｒの値と光中性子の検出効率の値との間の折衷により行われる。
【００５７】
ポリエチレンがない場合（これは表１〜３に表されていない場合であり、これついては厚さｅ１及びｅ２の双方がゼロである）、検出効率はベリリウム量の測定が検討可能となるにははるかに低くなりすぎること（典型的には１％未満）もまた注目されるべきである。
【００５８】
制限しない例としては、厚さｅ１が１．５ｃｍ及び厚さｅ２が３ｃｍの場合の、図１Ａ及び１Ｂに表された装置について選択された。この例について、装置の他の寸法は以下の通りである：
−  中空円筒の高さＨ：３０ｃｍ、
−  中空円筒の内径ｄ１：１０．６ｃｍ、
−  ポリエチレンピースに接触して収容される鉛凹型ピースの壁厚：１ｃｍ、
−  線状線源の長さ：２５ｃｍ（線源は中空円筒の内側の中心にある）、
−  中性子検出器の直径Ｄ：２．５４ｃｍ、
−  ４ｂａｒの圧力を有する、ヘリウム３ガスを充填された中性子検出器の高さ：２５ｃｍ、
−  調査物体の高さ：１１ｃｍ（物体は中空円筒の中心にある）。
【００５９】
本発明の構造は、簡単で、かつ測定された物体固有の中性子放出に起因するノイズを最小化して信頼できる正確な結果をもたらす、ベリリウムの量を測定するための方法を実施することを可能にする。
【００６０】
本発明の装置を用いて実施される周知のベリリウム量の測定方法は、放射性物体により放出される固有の中性子ノイズを測定するための工程を含む。この測定は、放射線源なしに実施される。固有のノイズは、次に放射線源の存在下に測定されたシグナルから引き算される。当業者には既知のように、この固有のノイズの引き算が、測定された有用なシグナルに対し統計的不確実性を生じさせる。この不確実性は、本発明の装置によって強く低減される。
【００６１】
また、好ましくはガンマ放射線源がない場合、本発明の装置は受動的な中性子計数が行われるのを可能にする。また、物体中に存在するプルトニウム量を測定することも可能である。中性子同時計数測定は、この場合、周知の方法で、自発核分裂反応の間にプルトニウムによって放出される有用なシグナルを、ベリリウム又は酸素のものなどの軽い核種の反応（α、ｎ）に起因する、アルファ放射体の存在に起因するバックグラウンドノイズから区別するために一般に必要である。この同時計数測定は、既知の方法では、少なくとも２つの中性子検出器と、及び同時計数を操作できる処理エレクトロニクスとの存在を必要とする。そこでポリエチレンの類似円筒１は、周知の方法で、カドミウムプレート６で完全に覆われて、検出装置における中性子の寿命を制限し、したがって中性子同時計数の分析を促進する（図３Ａ及び３Ｂ）。光中性子検出を促進する目的で作製されたポリエチレンブロック１における検出器３のポジショニングを、放射性物体により自発的に放出される中性子の検出の損失に対して最適化しているにもかかわらず、後者の検出効率は、依然として同時計数分析を可能にするのに十分である（図１に示された装置に対し典型的には２０％を超える）。
【図１Ａ】
2017505437.tif 000006
【図１Ｂ】
2017505437.tif 000007
【図２】
2017505437.tif 000008
【図３Ａ】
2017505437.tif 000009
【図３Ｂ】
2017505437.tif 000010
【手続補正書】
【提出日】平成27年11月23日(2015.11.23)
【手続補正１】
【補正対象書類名】特許請求の範囲
【補正対象項目名】全文
【補正方法】変更
【補正の内容】
【特許請求の範囲】
【請求項１】
放射性物体（５）中のベリリウムの量を測定するための装置であって、該装置が、
放射性物体により放出された中性子を熱運動化できる材料から作製されたピース（１）と、放射性物体上の線量率を緩和できる金属ピース（２）とからなる中空円筒であって、前記中性子を熱運動化できる材料からなるピースは、壁の一部が欠けた中空円筒の形状を有しており、前記金属ピース（２）は、中性子を熱運動化できる材料から作製されたピースの欠けた壁部分に相当する空間に挿入されたソリッド部分（２ａ）と、前記ソリッド部分から離れるように延在しかつ前記中性子を熱運動化できる材料から作製されたピースの壁内に、前記中性子を熱運動化できる材料から作製されたピースに接触して収容された凹部（２ｂ）とを含む、該中空円筒と、
前記金属ピースの凹部の窪みに収容されたガンマ線源（４）と、及び
前記中性子を熱運動化できる材料から作製されたピースの本体中に配置された少なくとも１つの中性子検出器（３）と、を含み、
前記中空円筒の軸に垂直な横断平面において、前記中性子を熱運動化できる材料で作製されたピースにおいて前記金属ピース（２）を中性子検出器（３）から隔てる距離（ｅ１）が略０ｃｍから２ｃｍの間であり、かつ前記中性子を熱運動化できる材料で作製されたピースにおいて中性子検出器（３）を前記中性子を熱運動化できる材料で作製されたピースの境界を定める外表面から隔てる距離（ｅ２）が略２ｃｍから４ｃｍの間であることを特徴とする測定装置。
【請求項２】
前記中性子検出器（３）が、ヘリウム３ガスメータである、請求項１に記載の装置。
【請求項３】
前記ガンマ線源（４）が点線源である、請求項１又は２に記載の装置。
【請求項４】
前記中空円筒の軸に対し略平行な軸に沿って前記線源（４）を移動できる手段をさらに含む請求項３に記載の装置。
【請求項５】
前記ガンマ線源（４）が、前記金属ピース（２）の凹部の窪み内に取付けられ、かつ前記中空円筒の軸に対し略平行な軸を有する線状線源である、請求項１又は２に記載の装置。
【請求項６】
前記放射性物体を回転できる手段を含む、請求項１から５のいずれか１項に記載の装置。
【請求項７】
前記ガンマ照射線源（４）が１２４Ｓｂ線源である、請求項１から６のいずれか１項に記載の装置。
【請求項８】
前記中空円筒が中空回転円筒である、請求項１から７のいずれか１項に記載の装置。
【請求項９】
複数の中性子検出器（３）が、前記中性子を熱運動化できる材料から作製されたピース（１）において、前記中空回転円筒の円形断面によって規定される円の中心から等しい距離において均等に分布される、請求項８に記載の装置。
【請求項１０】
前記中性子を熱運動化できる材料がポリエチレンである、請求項１から９のいずれか１項に記載の装置。
【請求項１１】
前記金属ピース（２）が鉛ピースである、請求項１から１０のいずれか１項に記載の装置。
【手続補正２】
【補正対象書類名】図面
【補正対象項目名】図１Ａ
【補正方法】変更
【補正の内容】
【図１Ａ】
2017505437.tif 000011
【手続補正３】
【補正対象書類名】図面
【補正対象項目名】図１Ｂ
【補正方法】変更
【補正の内容】
【図１Ｂ】
2017505437.tif 000012
【国際調査報告】
2017505437.tif 000013
2017505437.tif 000014
2017505437.tif 000015
2017505437.tif 000016
2017505437.tif 000017
2017505437.tif 000018